(57)【要約】【課題】拡張カードの装着時に、拡張カードに不具合があった場合、ＯＳおよびホット・プラグ管理ソフトウェアの介入なしで拡張カードの抜き取りが行えるできるコンピュータシステムおよび活線抜差方法を提供することを目的としている。【解決手段】コンピュータシステム１０は、スロット１と、ホット・プラグ制御部２と、受信制御部３と、送信制御部４と、接続診断部５と、ホスト・ブリッジ６と、ＣＰＵ７と、表示部８と、挿入検出部９から構成されている。また、コンピュータシステム１０は、拡張カード２０との接続を行う。【選択図】図１
2011018162.tif 000002
【特許請求の範囲】
【請求項１】
主制御装置が、スロットに挿入され第１のバスに接続された拡張機器を利用して動作するコンピュータシステムにおいて、
前記拡張機器の診断を行う診断部と、
前記拡張機器を前記第１のバスに接続する制御を行う接続制御部と、
を備え、
前記接続制御部は、
前記拡張機器が前記スロットに挿入されたことを通知する通知信号を受信した後、前記拡張機器を、前記診断部が接続されかつ前記主制御装置が接続されていない第２のバスに接続し、前記診断部に前記拡張機器の診断を行わせ、
前記診断部による診断の結果、前記拡張機器が正常の場合は、前記拡張機器が前記スロットに挿入されたことを通知する通知信号を前記主制御装置へ送信し、前記通知信号への応答である前記主制御装置からのスロット電源投入信号に基づいて前記拡張機器に電源を供給して、前記拡張機器を前記第１のバスに接続し、
前記診断部による診断の結果、前記拡張機器が異常の場合は、前記拡張機器が前記スロットに挿入されたことを通知する通知信号を前記主制御装置へ送信しないように制御する
ことを特徴とするコンピュータシステム。
【請求項２】
前記拡張機器が前記スロットに挿入されたことを通知する通知信号を受信した後、前記主制御装置への前記通知信号の送信を、前記診断部で前記拡張機器が正常と診断されるまで待機させる
ことを特徴とする請求項１に記載のコンピュータシステム。
【請求項３】
前記拡張機器はＰＣＩエクスプレス規格に準拠した機器である
ことを特徴とする請求項１または２のいずれか１項に記載のコンピュータシステム。
【請求項４】
スロットに挿入される拡張機器の診断を行う診断部と前記拡張機器を第１のバスに接続する制御を行う接続制御部とを備え、主制御装置が前記拡張機器を前期第１のバスに接続して利用するコンピュータシステムの活線抜差方法において、
前記スロットが、前記拡張機器が前記スロットに挿入されたことを通知する通知信号を送信する通知信号送信工程と、
前記接続制御部が、前記通知信号の前記主制御装置への送信を、前記診断部で前記拡張機器が正常と診断されるまで待機させる通知信号待機工程と、
前記通知信号を受信した後、前記接続制御部が、前記拡張機器を、前記診断部が接続されかつ前記主制御装置が接続されていない第２のバスに接続する接続工程と、
前記第２のバスを介して前記診断部が前記拡張機器の診断を行う診断工程と、
前記診断工程での診断の結果、前記拡張機器が正常の場合は、前記接続制御部が、前記通知信号待機工程で待機させていた前記通知信号を前記主制御装置へ送信する通知信号待機解除工程と、
前記通知信号待機解除工程により前記主制御装置へ前記通知信号が送信された後、前記接続制御部が、前記通知信号への応答である前記主制御装置からのスロット電源投入信号に基づいて前記拡張機器に電源を供給する電源供給工程と、
前記診断工程での診断の結果、前記拡張機器が異常の場合は、前記接続制御部が、前記通知信号待機工程で待機させていた前記通知信号を前記主制御装置へ送信しないように制御する通知信号制御工程と、
を備えることを特徴とするコンピュータシステムの活線抜差方法。
【発明の詳細な説明】
【技術分野】
【０００１】
本発明は、コンピュータシステムおよびコンピュータシステムの活線抜差方法に関する。
【背景技術】
【０００２】
コンピュータシステムに周辺機器を接続する場合、ＰＣＩ（Ｐｅｒｉｐｈｅｒａｌ  Ｃｏｍｐｏｎｅｎｔ  Ｉｎｔｅｒｃｏｎｎｅｃｔ）規格に基づく拡張カードが広く利用されている。このＰＣＩ規格には、コンピュータシステムの電源を入れたまま、拡張カードの抜き差しが行えるＰＣＩホット・プラグ規格１．０（１９９７年１０月６日改定）およびＰＣＩ  Ｅｘｐｒｅｓｓ規格等がある。コンピュータシステムで、このようなホット・プラグに基づく拡張カードの抜き差しを行う場合、新たに挿入された拡張カードに不具合があると、データの損失、あるいはＰＣＩバスを占有したり、バス・プロトコルがハングアップすることもある。
【０００３】
このため従来のコンピュータシステムにおいては、特許文献１の図３のように、拡張カードを挿入する場合、コンピュータシステムのＯＳの制御により、ホット・プラグ管理ソフトウェアが組み込まれ、さらに拡張カードの組み込み処理が行われる。組み込みに際して、ホット・プラグ・コントローラが、隔離部を制御して、拡張カードを診断用のローカルＰＣＩバスに接続し、拡張カードの診断を行う。拡張カードの診断結果が合格だった場合は、ホット・プラグ・コントローラが隔離部を制御して拡張カードを診断用のローカルＰＣＩバスから通常送受信用のＰＣＩバスに接続を切り替える。一方、拡張カードの診断結果が不合格だった場合は、ホット・プラグ・コントローラが隔離部を制御して拡張カードを隔離する。
【先行技術文献】
【特許文献】
【０００４】
【特許文献１】特開２０００−３０５６７８号公報
【発明の概要】
【発明が解決しようとする課題】
【０００５】
しかしながら、従来技術では、ＣＰＵがホスト・ブリッジ経由でホット・プラグ・コントローラを制御して、拡張カードの診断を診断用のローカルＰＣＩバスに接続して行い、診断結果が合格の場合に拡張カードをＰＣＩバスに接続していた。このため、拡張カードがスロットに挿入された時点で、スロットに設けられている機械的検出部により拡張カードが挿入されたことが検出され、拡張カードが挿入されたことを示す通知信号がホット・プラグ・コントローラに送信される。ホット・プラグ・コントローラは通知信号を受信し、受信した通知信号をホスト・ブリッジ経由でＣＰＵに送る。ＣＰＵは通知信号を受信し、ホット・プラグ管理ソフトウェアの組み込み、拡張カードの組み込み処理を開始する。このため、拡張カードの診断結果が不合格の場合、拡張カードを抜き取るために、隔離部により電気的に拡張カードが隔離されていてもＯＳおよびホット・プラグ管理ソフトウェア上で拡張カードの隔離手続きを行う必要があるという課題があった。
【０００６】
本発明は、上記の問題点に鑑みてなされたものであって、拡張カードの装着時に、拡張カードに不具合があった場合、ＯＳおよびホット・プラグ管理ソフトウェアの介入なしで、拡張カードの抜き取りが行えるコンピュータシステムおよびコンピュータシステムの活線抜差方法を提供することを目的としている。
【課題を解決するための手段】
【０００７】
本発明は、主制御装置が、スロットに挿入され第１のバスに接続された拡張機器を利用して動作するコンピュータシステムにおいて、
前記拡張機器の診断を行う診断部と、
前記拡張機器を前記第１のバスに接続する制御を行う接続制御部と、
を備え、
前記接続制御部は、
前記拡張機器が前記スロットに挿入されたことを通知する通知信号を受信した後、前記拡張機器を、前記診断部が接続されかつ前記主制御装置が接続されていない第２のバスに接続し、前記診断部に前記拡張機器の診断を行わせ、
前記診断部による診断の結果、前記拡張機器が正常の場合は、前記拡張機器が前記スロットに挿入されたことを通知する通知信号を前記主制御装置へ送信し、前記通知信号への応答である前記主制御装置からのスロット電源投入信号に基づいて前記拡張機器に電源を供給して、前記拡張機器を前記第１のバスに接続し、
前記診断部による診断の結果、前記拡張機器が異常の場合は、前記拡張機器が前記スロットに挿入されたことを通知する通知信号を前記主制御装置へ送信しないように制御する
ことを特徴とする。
【０００８】
また、本発明は、スロットに挿入される拡張機器の診断を行う診断部と前記拡張機器を第１のバスに接続する制御を行う接続制御部とを備え、主制御装置が前記拡張機器を前期第１のバスに接続して利用するコンピュータシステムの活線抜差方法において、
前記スロットが、前記拡張機器が前記スロットに挿入されたことを通知する通知信号を送信する通知信号送信工程と、
前記接続制御部が、前記通知信号の前記主制御装置への送信を、前記診断部で前記拡張機器が正常と診断されるまで待機させる通知信号待機工程と、
前記通知信号を受信した後、前記接続制御部が、前記拡張機器を、前記診断部が接続されかつ前記主制御装置が接続されていない第２のバスに接続する接続工程と、
前記第２のバスを介して前記診断部が前記拡張機器の診断を行う診断工程と、
前記診断工程での診断の結果、前記拡張機器が正常の場合は、前記接続制御部が、前記通知信号待機工程で待機させていた前記通知信号を前記主制御装置へ送信する通知信号待機解除工程と、
前記通知信号待機解除工程により前記主制御装置へ前記通知信号が送信された後、前記接続制御部が、前記通知信号への応答である前記主制御装置からのスロット電源投入信号に基づいて前記拡張機器に電源を供給する電源供給工程と、
前記診断工程での診断の結果、前記拡張機器が異常の場合は、前記接続制御部が、前記通知信号待機工程で待機させていた前記通知信号を前記主制御装置へ送信しないように制御する通知信号制御工程と、
を備えることを特徴とする。
【発明の効果】
【０００９】
本発明によれば、拡張カードがコンピュータシステムに挿入された場合、ホット・プラグ・コントローラが、ホスト・ブリッジには接続せず診断用のバスに接続するように制御する。さらに、拡張カードが挿入された時、拡張カードがスロットを介してホット・プラグ・コントローラに送信した通知信号をホスト・ブリッジおよびＣＰＵに送信せずに待機させる。診断部での拡張カードの診断結果が合格の場合のみ、ホスト・ブリッジおよびＣＰＵに待機させていた通知信号を送信するようにした。これにより、診断結果が不合格の場合には、ホット・プラグ管理ソフトウェアの処理が開始されていないので、ホット・プラグ管理ソフトウェアによる隔離手続きを行わずに拡張カードの隔離が可能になる。
【図面の簡単な説明】
【００１０】
【図１】本発明の実施形態に係るコンピュータシステムのブロック図である。
【図２】同実施形態に係る拡張カードが挿入されたときの診断手順を示す図である。
【図３】同実施形態に係る拡張カードが挿入されたときの診断手順を示す図である。
【発明を実施するための形態】
【００１１】
以下、図１〜３を用いて本発明の実施形態について詳細に説明する。なお、本発明は係る実施形態に限定されず、その技術思想の範囲内で種々の変更が可能である。
【００１２】
図１は、本実施形態におけるコンピュータシステムのブロック図である。コンピュータシステム１０は、スロット１と、ホット・プラグ制御部２と、受信制御部３と、送信制御部４と、接続診断部５と、ホスト・ブリッジ６と、ＣＰＵ７と、表示部８と、挿入検出部９から構成されている。また、コンピュータシステム１０は、ＰＣＩ  Ｅｘｐｒｅｓｓ規格の拡張カード（以下、拡張カード）２０との接続を行う。
【００１３】
スロット１は、拡張カード２０との電気的な接続を行う。また、スロット１の端子は、ホット・プラグ制御部２と、受信制御部３と、送信制御部４とに接続されている。また、スロット１には、拡張カード２０の挿入を機械的に検出する挿入検出部９が設けられている。
【００１４】
ホット・プラグ制御部（接続制御部）２は、拡張カード２０をスロット１へ接続診断部５の診断結果に基づき、もしくはホスト・ブリッジ６を介したＣＰＵ７からの指示に基づき電気的に接続または解除する。すなわち、ホット・プラグ制御部２は、接続診断部５の診断結果が合格の場合に拡張カード２０をスロット１へ電気的に接続し、接続診断部５の診断結果が不合格の場合に拡張カード２０をスロット１へ電気的に接続を解除する。また、ホット・プラグ制御部２は、拡張カードがスロット１に挿入されることにより、スロット１に設けられている挿入検出部９が送信するスロット・イベント信号（通知信号）を受け取る。また、ホット・プラグ制御部２は、受け取ったスロット・イベント信号のホスト・ブリッジ６への送信を、接続診断部５による診断結果のリンクアップ信号を受信するまで待機させる。
また、ホット・プラグ制御部２は、スロット・イベント信号を受け取った後、拡張カードの診断を行うために、診断中にスロット１に電源を供給する。また、ホット・プラグ制御部２は、拡張カードの診断を行うために、受信制御部３の出力を切り替える診断処理中フラグを送る。また、ホット・プラグ制御部２は、拡張カードの診断を行うために、送信制御部４の入力を切り替える診断処理中フラグを送る。また、ホット・プラグ制御部２は、診断処理中フラグを受信制御部４および送信制御部４に送った後、接続診断部５に診断開始指示を送り、診断終了後に接続診断部５から診断終了信号と診断結果信号を受け取る。
診断結果信号が合格の場合、ホット・プラグ制御部２は、診断結果信号としてリンクアップ信号を受け取る。
また、ホット・プラグ制御部２は、リンクアップ信号を受け取った後、スロット１にスロット・リセット信号を送り、診断用に供給していた電源をＯＦＦにする。また、ホット・プラグ制御部２は、電源をＯＦＦにした後、待機させていたスロット・イベント信号（通知信号）をホスト・ブリッジ６に送る。また、ホット・プラグ制御部２は、ホスト・ブリッジ６からスロット・イベント信号の応答としてスロット電源ＯＮ信号を受け取った後、スロット１に送信していたスロット・リセット信号を解除し、さらにスロット１にスロット電源を供給する（電源制御）。また、ホット・プラグ制御部２は、スロット１に電源を供給した後、スロット１を介して拡張カード２０とリンク確立処理を行い、コンピュータシステム１０への拡張カード２０の組み込みを行う。
また、診断結果信号が不合格の場合、ホット・プラグ制御部２は、診断結果信号としてリンクフェイル信号を受け取り、受け取ったリンクフェイル信号に基づき表示部８にエラー表示を行う。
【００１５】
受信制御部３は、スロット１を介して拡張カード２０からの出力データを受け取る。また、受信制御部３は、拡張カード２０から受け取った出力データをホット・プラグ制御部２の制御信号により出力先を切り替えて、通常受信データの経路１１であるホスト・ブリッジ６、または、診断受信データの経路１２である接続診断部５に出力する。
【００１６】
送信制御部４は、ホット・プラグ制御部２の制御信号により入力先を切り換えて、診断受信データの経路１４である接続診断部５、または、通常送信データの経路１３であるホスト・ブリッジ６からの出力を受け取る。また、送信制御部４は、受け取った接続診断部５またはホスト・ブリッジ６からの出力をスロット１に送る。
【００１７】
接続診断部５は、ホット・プラグ制御部２からの診断開始指示を受け取り、診断開始指示受け取り後に受信制御部３と送信制御部４を介してスロット１に接続されている拡張カード２０の診断を行う。また、接続診断部５は、拡張カード２０の診断結果の診断結果信号をホット・プラグ制御部２に送る。
【００１８】
診断は、接続診断部５により、スロット１を介して接続されている拡張カード２０の図示しない送受信ポートと接続診断部５の送受信ポートとの間で、ＰＣＩ  Ｅｘｐｒｅｓｓ規格で定められている特定パケット（トレーニングやエレクトリカル・アイドル等）の交換を行うことで行われる。
【００１９】
ホスト・ブリッジ６は、ＣＰＵ７とコンピュータシステム１０のバスを接続して、ＣＰＵ７とバスとの間でデータの制御を行う。また、ホスト・ブリッジ６は、接続診断部５による診断終了後、診断結果が合格の場合に、ホット・プラグ制御部２から待機させられていたスロット・イベント信号を受け取る。また、ホスト・ブリッジ６は、スロット・イベント信号を受け取った後、ＣＰＵ７に拡張カードが挿入されたことを知らせる割り込み信号を送り、また、ホット・プラグ制御部２にスロット電源ＯＮ信号を送る。
【００２０】
ＣＰＵ７は、診断接続５による診断終了後にホスト・ブリッジ６から出力される割り込み信号を受け取る。また、ＣＰＵ７は、スロット１に拡張カード２０が挿入された場合、ＣＰＵ７に接続された図示しないＲＯＭ（Ｒｅａｄ  Ｏｎｌｙ  Ｍｅｍｏｒｙ）またはＨＤＤ（Ｈａｒｄ  Ｄｉｓｋ  Ｄｒｉｖｅ）等の記憶部に記憶されているＯＳ（Ｏｐｅｒａｔｉｎｇ  Ｓｙｓｔｅｍ）により、挿入された拡張カード２０をホット・プラグ制御部２と受信制御部３と送信制御部４とホスト・ブリッジ６を介してリンク確立処理を行い、拡張カード１０をコンピュータシステム１０に組み込む。
【００２１】
リンク確立処理は、スロット１を介して接続されている拡張カード２０の図示しない送受信ポートとホスト・ブリッジ６の送受信ポートとの間で、ＰＣＩ  Ｅｘｐｒｅｓｓ規格で定められている特定パケット（トレーニングやエレクトリカル・アイドル等）の交換を行うことで行われる。
【００２２】
表示部８は、例えばＬＥＤ（Ｌｉｇｈｔ  Ｅｍｉｔｔｉｎｇ  Ｄｉｏｄｅ）であり、接続診断部５による診断結果が不合格の場合、ホット・プラグ制御部２の制御によりエラー表示を行う。この場合、例えば、不合格の場合のみ点灯もしくは消灯させる。
【００２３】
次に、本実施形態において、拡張カードが挿入されたときの診断手順を、図２〜３のフローチャートを用いて説明する。まず、スロット１に拡張カード１０が挿入されると、スロット１の挿入検出部９が拡張カードの挿入を検出し、スロット１の挿入検出部９が拡張カードを検出したことを示すスロット・イベント信号をホット・プラグ制御部２へ送る（Ｓ１）。
【００２４】
ホット・プラグ制御部２は、スロット１の挿入検出部９からスロット・イベント信号を受け取り、また、ホスト・ブリッジ６へのスロット・イベント信号の送信は行わずに待機させる（Ｓ２）。
【００２５】
次に、ホット・プラグ制御部２は、拡張カード２０の診断を行うためにスロット１の電源をＯＮにする（Ｓ３）。
【００２６】
また、ホット・プラグ制御部２は、受信制御部３と送信制御部４に診断処理中フラグを送る（Ｓ４、５）。
【００２７】
受信制御部３は、ホット・プラグ制御部２から出力された診断処理中フラグを受け取り、接続診断部５と接続する経路を診断受信データ経路１２に切り替える（Ｓ６）。
【００２８】
送信制御部４は、ホット・プラグ制御部２から出力された診断処理中フラグを受け取り、接続診断部５と接続する経路を診断送信データ経路１に切り替える（Ｓ７）。
【００２９】
次に、ホット・プラグ制御部２は、診断接続部５に診断開始指示を送る（Ｓ８）。
【００３０】
診断接続部５は、ホット・プラグ制御部２から出力された診断開始指示を受け取り、スロット１を介して拡張カード２０の診断を行う（Ｓ９）。診断は、接続診断部５により、スロット１を介して接続されている拡張カード２０の図示しない送受信ポートと接続診断部５の送受信ポートとの間で、ＰＣＩ  Ｅｘｐｒｅｓｓ規格で定められている特定パケット（トレーニングやエレクトリカル・アイドル等）の交換をすることにより行われる。
【００３１】
診断終了後、接続診断部５は、ホット・プラグ制御部２に診断終了信号を送る（Ｓ１０）。また、接続診断部５は、診断結果が合格の場合はリンクアップ信号を診断結果信号としてホット・プラグ制御部２に送り、診断結果が不合格の場合はリンクフェイル信号を診断結果信号としてホット・プラグ制御部２に送る（Ｓ１１）。
【００３２】
ホット・プラグ制御部２は、接続診断部５から診断終了信号と診断結果信号とを受け取り、診断結果が合格の場合、診断処理中フラグのクリアー指示を受信制御部３と送信制御部４に送る（Ｓ１２、１３）。
【００３３】
受信制御部３は、ホット・プラグ制御部２から出力された診断処理中フラグのクリアー指示を受け取り、ホスト・ブリッジ６と接続する経路を通常受信データ経路１１に切り替える（Ｓ１４）。
【００３４】
送信制御部４は、ホット・プラグ制御部２から出力された診断処理中フラグのクリアー指示を受け取り、ホスト・ブリッジ６と接続する経路を通常送信データ経路１３に切り替える（Ｓ１５）。
【００３５】
診断結果が合格の場合、ホット・プラグ制御部２は、スロット１にスロット・リセット信号を送り（Ｓ１６）、ホスト・ブリッジ６にステップＳ２で待機させていたスロット・イベント信号を送る（Ｓ１７）。また、ステップＳ１６のスロット・リセットにより、ホット・プラグ制御部２がスロット１の電源をＯＦＦにする。
【００３６】
ホスト・ブリッジ６は、ホット・プラグ制御部２から出力されたスロット・イベント信号を受け取り、ＣＰＵ７に拡張カードが挿入されたことを知らせる割り込み信号を送る（Ｓ１８）。
【００３７】
次に、ホスト・ブリッジ６は、ホット・プラグ制御部２に、スロット電源をＯＮにする指示を送る（Ｓ１９）。
【００３８】
また、ホット・プラグ制御部２は、ホスト・ブリッジ６から出力されたスロット電源をＯＮにする指示を受け取り、スロット１の電源をＯＮにする（Ｓ２０）。
【００３９】
さらに、ホット・プラグ制御部２は、スロット１に送信し続けていたスロット・リセット信号を解除する（Ｓ２１）。
これにより、スロット１に挿入されている拡張カード２０は、ホット・プラグ制御部２と、受信制御部３と送信制御部４を介してホスト・ブリッジ６に接続され、さらにホスト・ブリッジ６を介して接続されているＣＰＵ７からの制御によりリンク確立処理による初期化が行われる（Ｓ２２）。リンク確立処理は、スロット１を介して接続されている拡張カード２０の図示しない送受信ポートとホスト・ブリッジ６の送受信ポートとの間で、ＰＣＩ  Ｅｘｐｒｅｓｓ規格で定められている特定パケット（トレーニングやエレクトリカル・アイドル等）の交換を行うことで行われる。
以上の手順による処理により、スロット１を解して挿入されている拡張カード２０が
コンピュータシステム１０への組み込み処理が完了する。
【００４０】
以上、本発明によれば、拡張カードがコンピュータシステムに挿入された場合、ホット・プラグ・コントローラ（ホット・プラグ制御部）が、ホスト・ブリッジには接続せず診断用のバスに接続するように制御する。さらに、拡張カードが挿入された時、スロットの挿入検出部が拡張カードを検出して、ホット・プラグ・コントローラに通知信号を送信する。また、ホット・プラグ・コントローラは、受け取った通知信号をホスト・ブリッジおよびＣＰＵに送信せずに待機させる。そして、診断部での拡張カードの診断結果が合格の場合のみ、ホスト・ブリッジおよびＣＰＵに待機させていた通知信号を送信するようにした。これにより、診断結果が不合格の場合には、ホット・プラグ管理ソフトウェアの組み込み処理が開始されていないので、ホット・プラグ管理ソフトウェアによる隔離手続きを行わずに拡張カードの隔離を行うことが可能になった。
【００４１】
また、本実施形態では、スロット１が１つの場合について説明したが、複数のスロットを備える場合にも同様の効果が得られる。複数のスロットを備える場合は、例えば、スロット毎に受信制御部３と送信制御部４を備える構成により実現できる。また、複数のスロットを備え、複数のスロットに同時に拡張カードが挿入された場合は、例えば接続診断部５とホスト・ブリッジ６およびホット・プラグ制御部２は、時分割処理により複数の拡張カードの診断と組み込みもしくは解除を行うようにしても良い。
【００４２】
さらにまた、本実施形態では、接続診断部の診断結果が不合格の場合にＬＥＤ等による表示部８に表示する例について説明したが、例えば二色ＬＥＤを用いて、合格と不合格の場合に異なる色に切り替えて表示するようにしても良い。
【００４３】
さらにまた、本実施形態では、接続診断部の診断結果が不合格の場合にＬＥＤ等による表示部８に表示する例について説明したが、例えばブザーによりエラーを知らせるようにしても良い。
【００４４】
さらにまた、本実施形態では、拡張機器として拡張カードについて説明したが、拡張ボードの場合であっても同様の効果が得られる。
【００４５】
なお、実施形態の図１の機能の全て、もしくは一部を、コンピュータシステムの図示しないＣＰＵに接続されたＲＯＭ、ＨＤＤもしくはＵＳＢ（Ｕｎｉｖｅｒｓａｌ  Ｓｅｒｉａｌ  Ｂｕｓ）  Ｉ／Ｆを介して接続されるＵＳＢメモリー等に保存されているプログラムにより実行することも可能である。
【符号の説明】
【００４６】
１・・・スロット
２・・・ホット・プラグ制御部
３・・・受信制御部
４・・・送信制御部
５・・・接続診断部
６・・・ホスト・ブリッジ
７・・・ＣＰＵ
８・・・表示部
９・・・挿入検出部
１０・・・コンピュータシステム
２０・・・拡張カード
【図１】
2011018162.tif 000003
【図２】
2011018162.tif 000004
【図３】
2011018162.tif 000005